(57)【要約】  【課題】冷蔵庫の設置後は容易に動くことがない冷蔵庫を提供する。  【解決手段】前方の高さ調節脚２を回転させながら上方に移動させて、冷蔵庫１の傾きと共に接地した後方の移動用キャスター６を支点として、さらに冷蔵庫１に傾きを与えて、前方の移動用キャスター３が接地することで容易に冷蔵庫１の移動ができるようにすることができ、冷蔵庫１の移動及び据付時の安定性が向上し、故障時及び据付床面の清掃等における冷蔵庫１の手前への移動を容易に行なうことができる。【選択図】図１
2009115421.tif 000002
【特許請求の範囲】
【請求項１】
底面の前方および後方に複数個の移動用キャスターと前方に高さ調整脚を供えた冷蔵庫において、冷蔵庫設置時に前記複数個の移動用キャスターが全て接地面から浮き上がることを特徴とする冷蔵庫。
【請求項２】
後方の移動用キャスター周囲に、冷蔵庫設置時に冷蔵庫を面で支持するキャスター設置板を供えたことを特徴とする請求項１に記載の冷蔵庫。
【請求項３】
高さ調節脚を回転して前記高さ調整脚を上方に移動させ、冷蔵庫を傾斜させることを特徴とする請求項１または２に記載の冷蔵庫。
【請求項４】
高さ調整脚を回転して冷蔵庫を傾斜させる動作において、後方の移動用キャスター、前方の移動用キャスターの順に接地することを特徴とする請求項１から３のいずれか一項に記載の冷蔵庫。
【発明の詳細な説明】
【技術分野】
【０００１】
本発明は、冷蔵庫の移動及び据付構造に関するものである。
【背景技術】
【０００２】
近年、冷蔵庫の設置床面の清掃やレイアウト変更を容易に行なうため、冷蔵庫の移動が簡単にできるように底面に複数個のキャスターを取り付け、軽い力で移動ができ、移動後は前方の調節脚を床につけて前方のキャスターを浮かせることで冷蔵庫をがたつきのないよう据付けている（例えば、特許文献１参照）。
【０００３】
図３は特許文献１に記載された従来の冷蔵庫の調節脚の断面図を示すものである。
【０００４】
図３に示すように、調節脚用金具５１に固定した前方キャスター５２を覆うように設けた高さ調節可能な調節脚５３とベース５４の下部に設けた調節ネジ５５、くさび状のストッパー５６またはコ形状の押し棒から形成された高さ調節可能な後方キャスター５７を構成することで、冷蔵庫の移動及び据付時の安定性、外観の見栄えが向上し、故障時及び据付床面の清掃等における冷蔵庫の手前への移動を容易に行なうことができる。
【特許文献１】特開平５−２８８４５７号公報
【発明の開示】
【発明が解決しようとする課題】
【０００５】
しかしながら、上記従来の構成では、後方のキャスターが床面に線接触になっており小さな力で簡単に冷蔵庫が動いてしまうという課題を有していた。
【０００６】
本発明は、上記従来の課題を解決するもので冷蔵庫の設置後は容易に動くことがない冷蔵庫を提供することを目的とする。
【課題を解決するための手段】
【０００７】
上記従来の課題を解決するために、本発明の冷蔵庫は、底面の前方および後方に複数個の移動用キャスターと前方に高さ調整脚を供え、冷蔵庫設置時に前記複数個の移動用キャスターが全て接地面から浮き上がるようにしたものである。
【０００８】
設置状態では前方に配置された調節脚と後方に配置されたキャスター設置板の平面部で固定される。移動時は前方の調節脚を回転させることで上方に移動させて、冷蔵庫の傾きと共に、先に接地した後方の移動用キャスターを支点として、さらに冷蔵庫に傾きを与えて、前方の移動用キャスターが接地するものである。
【０００９】
これによって、移動は容易にすることができ、設置した後は容易に冷蔵庫が動かない構造とすることができる。
【発明の効果】
【００１０】
以上説明したように、本発明の冷蔵庫は、冷蔵庫の移動及び据付時の安定性が向上し、故障時及び据付床面の清掃等における冷蔵庫の手前への移動を容易に行なうことができる。
【発明を実施するための最良の形態】
【００１１】
請求項１に記載の発明は、底面の前方および後方に複数個の移動用キャスターと前方に高さ調整脚を供えた冷蔵庫において、冷蔵庫設置時に前記複数個の移動用キャスターが全て接地面から浮き上がることにより、冷蔵庫を設置した後に容易に冷蔵庫を動かすことができなくなり、安定して冷蔵庫を設置することができる。
【００１２】
請求項２に記載の発明は、請求項１に記載の発明において、後方の移動用キャスター周囲に、冷蔵庫設置時に冷蔵庫を面で支持するキャスター設置板を供えたことにより、後方底面が確実に接地され、安定して冷蔵庫を設置することができる。
【００１３】
請求項３に記載の発明は、請求項１または２に記載の発明において、高さ調節脚を回転して前記高さ調整脚を上方に移動させ、冷蔵庫を傾斜させることにより、移動時および設置時に冷蔵庫の前方から容易に作業しやすくなり、作業性を向上することができる。
【００１４】
請求項４に記載の発明は、請求項１から３のいずれか一項に記載の発明において、高さ調整脚を回転して冷蔵庫を傾斜させる動作において、後方の移動用キャスター、前方の移動用キャスターの順に接地することにより、各キャスターが不安定に接地することを防止し、安全かつ容易に移動することができる。
【００１５】
以下、本発明の実施の形態について、図面を参照しながら説明するが、従来例または先に説明した実施の形態と同一符号を付して、その詳細な説明は省略する。なお、この実施の形態によってこの発明が限定されるものではない。
【００１６】
（実施の形態１）
図１は本発明の実施の形態１における冷蔵庫底部の斜視図、図２は同実施の形態の冷蔵庫の調節脚の斜視図である。
【００１７】
図１および図２において、冷蔵庫１の底部の前方両サイドに高さ調節脚２と移動用キャスター３とこれらを保持するコの字状の固定板４を備えている。高さ調節脚２はボルトと一体で成形され、固定板４にはナットが溶接で接合され、高さ調節脚２を保持している。高さ調節脚２はねじ式になっており回転させることで上下に移動する。また、移動用キャスター３は固定板４の穴に軸ピン５を介して保持されている。
【００１８】
また、後方には移動用キャスター３より径の大きな移動用キャスター６と冷蔵庫１を支える台も兼ねているキャスター保持板７を備えている。キャスター保持板７は冷蔵庫１の設置時に後方を面接触で支えている。後方の移動用キャスター６はキャスター保持板７の両サイドに切り起こした保持部に軸ピン８で保持されている。また、後方の移動用キャスター６の接地面はキャスター保持板７の接地部より上部に位置している。
【００１９】
上記構成により、冷蔵庫１は、据付時には前方の高さ調整脚２の面とキャスター保持板７の面でもって地面にしっかりと固定されている。次に移動時には、前方の調節脚２を回転させながら上部に移動させて冷蔵庫１を傾けていくと、先に後方の移動用キャスター６が接地し、後方の移動用キャスター６を支点として、さらに高さ調整脚２を回転させて冷蔵庫１を傾けていくと、前方の移動用キャスター３が接地し、キャスター保持板７が地面から浮き上がる。この状態で、前後の移動用キャスター３，６が接地することになり、容易に冷蔵庫１の移動ができるようにすることができる。
【００２０】
このように、冷蔵庫１の据付時及び移動時の安定性が向上し、故障時及び据付床面の清掃等における冷蔵庫の手前への移動を容易に行なうことができる。
【産業上の利用可能性】
【００２１】
以上のように、本発明にかかる冷蔵庫の調節脚は、重量物も容易に運ぶことができるため収納庫等にも適用できる。
【図面の簡単な説明】
【００２２】
【図１】本発明の実施の形態１における冷蔵庫底部の斜視図
【図２】同実施の形態の冷蔵庫の調節脚の斜視図
【図３】従来の冷蔵庫の調節脚の断面図
【符号の説明】
【００２３】
１  冷蔵庫
２  高さ調節脚
３  移動用キャスター
６  移動用キャスター
７  キャスター保持板
【図１】
2009115421.tif 000003
【図２】
2009115421.tif 000004
【図３】
2009115421.tif 000005